(57)【要約】【課題】ヘッドレストの高さおよび回動操作を容易とするとともに、椅子の外部に突出物が存在せず、椅子の外観デザインの向上を図ることを課題とする。【解決手段】脚１により支持される受台４上に座部３を有するとともに該受台４に側面視略Ｌ形状を有する背フレーム５の前部端を上下方向揺動可能に枢支し、この背フレーム５に背もたれ６を支持してなる椅子において、前記背フレーム５の後部立ち上げ部の背支柱９にヘッドレスト支持支柱１５を上下摺動自在に支持し、このヘッドレスト支持支柱１５の上端にヘッドレスト１６を横軸を中心に摩擦回動可能に取り付け、前記ヘッドレスト支持支柱１５には縦方向にラチエット歯列１９を形成し、前記背支柱１５に固定される弾性係合片２０を前記ラチエット歯列１９に噛合してなり、前記ヘッドレスト支持支柱１５を上下動させることにより前記ラチエット歯列１９が前記弾性係合片２０を撓ませて移動し、ヘッドレスト支持支柱１５を停止させたとき弾性係合片２０がラチエット歯列１９の一つの歯に係合してヘッドレスト支持支柱１５が係止されるようにしたことを特徴とする。【選択図】  図１
2004202062.tif 000002
【特許請求の範囲】
【請求項１】
脚により支持される受台上に座部を有するとともに該受台に側面視略Ｌ形状を有する背フレームの前部端を上下方向揺動可能に枢支し、この背フレームに背もたれを支持してなる椅子において、前記背フレームの後部立ち上げ部の背支柱にヘッドレスト支持支柱を上下摺動自在に支持し、このヘッドレスト支持支柱の上端にヘッドレストを横軸を中心に摩擦回動可能に取り付け、前記ヘッドレスト支持支柱には縦方向にラチエット歯列を形成し、前記背支柱に固定される弾性係合片を前記ラチエット歯列に噛合してなり、前記ヘッドレスト支持支柱を上下動させることにより前記ラチエット歯列が前記弾性係合片を撓ませて移動し、ヘッドレスト支持支柱を停止させたとき弾性係合片がラチエット歯列の一つの歯に係合してヘッドレスト支持支柱が係止されるようにしたことを特徴とする椅子のヘッドレスト装置。
【請求項２】
前記ヘッドレスト支持支柱に設けられるラチエット歯列は、該支柱に形成された縦長形状の窓孔の相対向する内側縁にそれぞれ相対応して形成され、前記弾性係合片は、前記背支柱側に固定される座板の一面に突設され前記窓孔に嵌合し得る突枠の両側面に弾性変形可能に形成された山形状に形成されており、前記ヘッドレスト支持支柱の上下動時に前記係合片の撓みによりラチエット歯列の歯を飛び越えて移動するようになされている請求項１記載の椅子のヘッドレスト装置。
【請求項３】
前記背支柱は、前記背フレームの立ち上げ部に弾性的に後傾動自在に設けられるとともに上端部両側に左右に延びる背アームを有し、これら背アームの先端が前記背もたれの上方部背面左右位置に係着され、この背支柱の背もたれ側の面に形成された上下方向に延びるガイド溝に前記ヘッドレスト支持支柱が摺動自在に嵌合されており、カバーによりヘッドレスト支持支柱の背もたれ側が被包されている請求項１または２記載の椅子のヘッドレスト装置。
【請求項４】
前記ヘッドレストは、前記ヘッドレスト支持支柱の上端に形成された軸受と、ヘッドレストに形成された軸受とに横軸を挿通し、両軸受間に摩擦部片を介在して横軸を締着することにより摩擦回動可能とされている請求項１〜３のいずれか１項記載の椅子のヘッドレスト装置。
【発明の詳細な説明】
【０００１】
【発明の属する技術分野】
本発明は椅子のヘッドレスト装置に係り、特にオフィス用の椅子に適用して好適なヘッドレスト装置に関する。
【０００２】
【従来の技術】
オフィス用の椅子においては、コンピュータ作業時等に後傾姿勢をとるが、そのとき頭部を円滑に支える必要がある。
【０００３】
椅子におけるヘッドレストは、自動車の座席などにおいて一般に用いられており、また事務用椅子としてもヘッドレストを備えたものがある（例えば特許文献１参照）。
【０００４】
上記文献に記載の椅子は、背もたれの上端部背面にヘッドレスト支持機構を付設し、この支持機構によりヘッドレストを高さ位置および前後方向回動位置を調節可能とされたものである。
【０００５】
【特許文献１】
特開２００１−３１４２６８号公報
【０００６】
【発明が解決しようとする課題】
しかして上記特許文献１に記載のものは、背もたれの周囲を囲む枠状の背もたれフレームの上部横杆の中央部背面にヘッドレスト支持機構が設置される構造であるから、背もたれの上部背面に該支持機構が突出した形態となり、オフィス用の椅子としたとき椅子としての外観デザインを著しく損なうものとなっている。
【０００７】
またヘッドレストの高さ位置調節時にその都度ロックを解く必要があり、そのうえ背もたれの背面側で手を掛けて操作しなければならないため座ったままでヘッドレストの高さ位置を微妙に調整することはきわめてやりにくく、操作性においても好ましいものではない。
【０００８】
本発明はこれに鑑み、背もたれの上部背面に出張ることがなく、椅子としての外観を損なうことがないとともに、ヘッドレストの高さおよび前後回動操作を容易に行えるようにする椅子のヘッドレスト装置を提供することを課題としてなされたものである。
【０００９】
【課題を解決するための手段】
上記課題を解決する手段として本発明は、脚により支持される受台上に座部を有するとともに該受台に側面視略Ｌ形状を有する背フレームの前部端を上下方向揺動可能に枢支し、この背フレームに背もたれを支持してなる椅子において、前記背フレームの後部立ち上げ部の背支柱にヘッドレスト支持支柱を上下摺動自在に支持し、このヘッドレスト支持支柱の上端にヘッドレストを横軸を中心に摩擦回動可能に取り付け、前記ヘッドレスト支持支柱には縦方向にラチエット歯列を形成し、前記背支柱に固定される弾性係合片を前記ラチエット歯列に噛合してなり、前記ヘッドレスト支持支柱を上下動させることにより前記ラチエット歯列が前記弾性係合片を撓ませて移動し、ヘッドレスト支持支柱を停止させたとき弾性係合片がラチエット歯列の一つの歯に係合してヘッドレスト支持支柱が係止されるようにしたことを特徴とする。
【００１０】
こうしたことにより、ヘッドレスト支持支柱の基部は背支柱により隠蔽された形態になり、背支柱や背もたれの背面に何ら突出する機構が存在しないので、椅子としての外観を損なうことがなく、ヘッドレストを備える椅子であっても違和感を与えることがない。
【００１１】
またヘッドレスト支持支柱を上下動させてヘッドレストの高さ位置を調節するには、ヘッドレスト支持支柱を上下動させるだけで任意の高さに設定することができ、椅子に座ったままであっても片手で容易に調節操作を行うことができる。
【００１２】
請求項２は、前記ヘッドレスト支持支柱に設けられるラチエット歯列を、該支柱に形成された縦長形状の窓孔の相対向する内側縁にそれぞれ相対応して形成し、前記弾性係合片は、前記背支柱側に固定される座板の一面に突設され前記窓孔に嵌合し得る突枠の両側面に弾性変形可能に形成された山形状に形成されており、前記ヘッドレスト支持支柱の上下動時に前記係合片の撓みによりラチエット歯列の歯を飛び越えて移動するようにしたことにある。
【００１３】
このようにすれば、少ない部品点数でヘッドレストの高さ調節を行わせることができるので好ましい。
【００１４】
請求項３は、前記背支柱を、前記背フレームの立ち上げ部に弾性的に後傾動自在に設けるようにするとともに上端部両側に左右に延びる背アームを設け、これら背アームの先端を前記背もたれの上方部背面左右位置に係着し、この背支柱の背もたれ側の面に形成された上下方向に延びるガイド溝に前記ヘッドレスト支持支柱を摺動自在に嵌合して、カバーによりヘッドレスト支持支柱の背もたれ側を被包するようにしたことにある。
【００１５】
このようにすれば、背支柱により背もたれの後傾時のクッション性が得られ、この背支柱にヘッドレスト支持支柱が支持されるので、ヘッドレストの後傾もしなやかに行わせることができ、座り心地のよいヘッドレスト付きの椅子とすることができる。
【００１６】
請求項４は、前記ヘッドレストを、前記ヘッドレスト支持支柱の上端に形成された軸受と、ヘッドレストに形成された軸受とに横軸を挿通し、両軸受間に摩擦部片を介在して横軸を締着することによりヘットドレストを摩擦回動可能としたことにある。
【００１７】
これによれば、ヘッドレスト支持支柱へのヘッドレストの取り付けとヘッドレストの回動角調整とを一挙に達成することができ、構造を頗る簡単にできるとともにヘッドレストを無段階に回動角の調整ができ、使いやすい椅子とすることができる。
【００１８】
【発明の実施の形態】
以下、本発明を図面に示す実施の形態を参照して説明する。
【００１９】
図１（Ａ）は本発明によるヘッドレスト装置を設けた背もたれ付きの椅子の一実施形態の側面図を示し、同図（Ｂ）は背面図を示している。
【００２０】
上記椅子の基本構成は、キャスタ付きの脚１に支持された支柱２に回転自在に支持され上部に座部３を有する受台４と、この受台４に後傾動自在に枢支された背フレーム５と、背もたれ６とを具備し、この背もたれ６部分にヘッドレスト装置７が設けられる形態である。
【００２１】
前記背フレーム５は側面視略Ｌ形状を有し、この背フレーム５の前端近くが前記受台４の前部寄りの下部に軸８により後傾動自在に枢支され、背フレーム５の後部の立上げ部５ａは背もたれ６の背面幅方向中央に位置してその上端は背もたれ６の人体腰部が当たる腰部位置ａまで立ち上げられている。
【００２２】
上記背フレーム５の立上げ部５ａの上方位置には背支柱９が設けられている。
【００２３】
この背支柱９は、アルミ等の資材からなっており、前記背もたれ６の前記腰部位置ａの背後に位置する前記立ち上げ部５ａの上端から前方へ向け突出する腰部当接部１０に前記背支柱９の下端が図示しない軸により後方へ回動可能に枢支され、バネ、ゴム等の弾性体によりクッション性が与えられている。
【００２４】
前記背支柱９の上端の左右部には、図１（Ｂ）にみられるように略水平方向に左右の背アーム１１，１１が左右対称に延設されており、これら背アーム１１，１１の先端は背もたれ６の背板６ａの上方位置（胸椎部相当位置）の左右部の若干の動きを許容し得るように係着されている。
【００２５】
この係着手段としては、背アーム１１，１１の先端に突設したピン（図示省略）を背もたれ６の背板６ａに埋設されたゴム等の弾性資材からなるピン受１２，１２に挿着し、このピン受１２，１２の変形により動きを許容するようになされている。しかしこの係着手段に関しては、ピン受１２，１２の変形によるものでなく、ピンと長孔とによるスライド構造としてもよい。
【００２６】
前記背もたれ６の背板６ａは、図１（Ｂ）にみられるように前記腰部位置ａにおいて横方向に長い楕円形の打ち抜き孔１３が形成されており、その孔１３の両側部分６ｂ，６ｂで背もたれ６の上方部の後傾時に曲がりやすくされている。この孔１３には化粧板１４が張設されている。
【００２７】
前記背支柱９にヘッドレスト支持支柱１５が上下方向摺動自在に支持され、このヘッドレスト支持支柱１５の上端にヘッドレスト１６が回動可能に設けられている。
【００２８】
すなわち前記背支柱９の背もたれ６側の側面に図４に断面を示しているように浅い円弧状断面を有する２条のガイド溝１７，１７が縦方向に設けられており、このガイド溝１７，１７に断面「８」の字状のヘッドレスト支持支柱１５の２つの断面円弧状側面が摺動自在に嵌合されている。
【００２９】
また前記ヘッドレスト支持支柱１５の縦杆部１５ａには、図２に示すように縦長矩形状の窓孔１８が開設されており、この窓孔１８の相対向する内側縁にはラチエット歯列１９，１９が相対応して形成されている。
【００３０】
上記窓孔１８内には弾性係合片２０が前記ラチエット歯列１９，１９の歯に係脱自在に嵌合されている。
【００３１】
この弾性係合片２０は、その一例を図２に分解し図３に斜視図を示すように、樹脂製の座板２１の一面に前記窓孔１８に嵌合し得るよう突設された突枠２２の両側に山形状に形成されており、この座板２１は前記背支柱９に止ネジ２３，２３で固定されるようになっている。なおこの弾性係合片２０は金属製の切り起こしによるものであってもよい。
【００３２】
この座板２１の固定には、背支柱９側に固定される樹脂製のスライドガイド２４と、このスライドガイド２４とは反対側に位置する前記座板２１を把持する横断面コ字状の金属製の固定具２５とが前記背支柱９に挿通する止ネジ２３，２３により固定される。
【００３３】
上記固定具２５の側片２５ａ，２５ａには上下２箇所に切孔２６，２６が形成されており、この切孔２６，２６に前記座板２１の各側縁に突設された爪２７，２７が弾性的に係着して固定具２５と座板２１とが一体化されている。２８は固定具２５を隠す化粧カバーである。
【００３４】
これにより座板２１の係合片２０，２０は前記窓孔１８内でラチエット歯列１９，１９に弾性的に係合し、ヘッドレスト支持支柱１５を上下動させたときラチエット歯列１９，１９の歯が係合片２０，２０を撓ませながら上下方向へ移動させることができ、ヘッドレスト支持支柱１５を停止させたとき係合片２０，２０が一つの歯に係合してヘッドレスト支持支柱１５が拘束され、妄りに上下に移動することがない。
【００３５】
ヘッドレスト１６は、ヘッドレスト支持支柱１５の上端に摩擦回動可能に取り付けられている。
【００３６】
図示の実施形態では、前記ヘッドレスト支持支柱１５の上端が２股状に形成されてその上端間が横梁２９で結合され、この横梁２９の両端位置の背もたれ６側に面して軸受３０，３０が突設されている。
【００３７】
ヘッドレスト１６の背面側の内部横方向には図４に示すように芯材３１が埋設され、この芯材３１に平面視Ｌ形状をなす左右の連結部材３２，３２の一辺がビス３３，３３により固着されており、この連結部材３２，３２の他辺３２ａ，３２ａが軸受となって前記軸受３０，３０にポリアセタールその他摩擦係数の大きい摩擦部片３４，３４を介在させてボルト３５，３５とナット３６，３６とで締着され、ヘッドレスト支持支柱１５に対しヘッドレスト１６を摩擦部片３４，３４の摩擦力に抗して回動させることができるようになっている。この摩擦力に関しては、ボルト３５，３５の締付けトルクの調整により任意に設定することができる。なおこの摩擦回動手段としては、菊座型のワッシャとクリックとの組合せによるものであってもよい。
【００３８】
次に上記実施形態の椅子の作用を説明する。
【００３９】
椅子に座らない不使用時には、図１（Ａ）に示すように背支柱９は図示しない弾性体の付勢により起立状態におかれ、これに伴って背もたれ６も起立姿勢におかれている。
【００４０】
この状態から椅子に座り、背中を背もたれ６に寄り掛けて体重をかけると、通常では背フレーム５が軸８を支点として後傾回動し、リクライニング姿勢をとることができる。このとき頭部はヘッドレスト１６に当てることにより楽な姿勢で後傾することができる。
【００４１】
上記の姿勢からさらに背もたれ６に寄りかかって安楽姿勢をとると、人体の腰部が当たる部位（腰部位置ａ）は腰部当接部１０により支えられ、それより上方の背もたれ６の上半部は背支柱９の後傾により人体になじんで後方に撓む。このとき人体の胸椎部分は背支柱９の左右の背アーム１１，１１によって支えられるので、背もたれ６の上半部の左右への捩れを許容しつつ後傾し、最も楽な姿勢をとることができる。加えて人体の肩甲骨部位も左右の背アーム１１，１１のそれぞれの撓みにより微妙な身体の動きに背もたれ６の上半部が追従するので疲れを感じさせることがない。
【００４２】
上記作用において、ヘッドレスト１６の高さ位置が頭部の位置に合わないときは、ヘッドレスト１６自体またはヘッドレスト支持支柱１５を持って上方または下方へ移動させると、ヘッドレスト支持支柱１５の窓孔１８内のラチエット歯列１９，１９の歯が係合片２０，２０を撓ませながら移動し、最適な高さ位置に至ったときヘッドレスト支持支柱１５の移動を停めれば、その位置のラチエット歯列１９，１９の一つの歯間に係合片２０，２０の頂部が係合してヘッドレスト支持支柱１５の上下移動が拘束され、ヘッドレスト１６の高さ位置を最適位置におくことができる。
【００４３】
またヘッドレスト１６の向きを調整する必要があるときは、ヘッドレスト１６を回すようにすれば、軸受３０，３０と連結部材３２，３２との間の摩擦部片３４，３４による摩擦力に抗して回すことができ、最適な向きで停めればその位置で摩擦支持され、妄りに回ってしまうことなく安定した状態に保持される。
【００４４】
【発明の効果】
以上説明したように本発明によれば、ヘッドレストの高さ位置の調整、およびヘッドレストの向きの調整に特別な操作部材による操作を全く必要としない構成であるから、上記の調整が行いやすいとともに余計な操作部材が椅子の外観上突出したり露出するようなことがなく、これにより操作性の向上と椅子の外観デザインの向上とを一挙に達成することができる。
【図面の簡単な説明】
【図１】本発明によるヘッドレスト装置を適用した椅子の一実施形態を示し、（Ａ）は側面図、（Ｂ）は背面図。
【図２】図１におけるヘッドレスト支持支柱の上下動機構の分解斜視図。
【図３】図２における座板の係合部側の面を示す斜視図。
【図４】図１におけるヘッドレストの回転機構を示す横断面図。
【図５】同、分解斜視図。
【符号の説明】
３  座部
４  受台
５  背フレーム
６  背もたれ
７  ヘッドレスト装置
９  背支柱
１０  腰部当接部
１１  背アーム
１５  ヘッドレスト支持支柱
１６  ヘッドレスト
１８  窓孔
１９  ラチエット歯列
２０  係合片
２１  座板
３０  軸受
３１  芯材
３２  連結部材
３４  摩擦部片
【図１】
2004202062.tif 000003
【図２】
2004202062.tif 000004
【図３】
2004202062.tif 000005
【図４】
2004202062.tif 000006
【図５】
2004202062.tif 000007